(57)【特許請求の範囲】
【請求項１】
法面に対して一定間隔をあけつつ該法面に沿って下側から上側に向けて順次、コンク  リート板を配設すると共に、該各コンクリート板と該法面との間に上側からコンクリー  トを投入する土木構築物の施工方法において、
前記各コンクリート板として、該各コンクリート板の内面に、該コンクリート板の上  側配置端面と下側配置端面との間において浮き上がり防止用アンカーが備えると共に、 該浮き上がり防止用アンカーよりも上側配置端面側において、該上側配置端面側に向け て順に、第１，第２確認孔を有するものを用意し、
前記各コンクリート板を配設する度に、前記コンクリートを、該各コンクリート板の  上側配置端面よりも下側であって前記浮き上がり防止用アンカーが埋め込まれるまで投  入し、
その際、前記コンクリートを、前記第１確認孔に進入してくるようにしつつ前記第２ 確認孔に進入してこないように投入する、
ことを特徴とする土木構築物の施工方法。
【請求項２】
請求項１において、
前記各コンクリート板が、該各コンクリート板の内面の上側配置端面側において、伸縮可能な高さ調整具を有していると共に、該高さ調整具よりも下側配置端面側において前記浮き上がり防止用アンカーを有し、
前記コンクリートを投入するに際して、該コンクリートの投入後の上面を、該各コンクリート板における前記高さ調整具の位置よりも低い高さとする、
ことを特徴とする土木構築物の施工方法。
【請求項３】
請求項２において、
前記各コンクリート板を配設するに際して、該各コンクリート板の下側に配置される下側コンクリート板の上側配置端面に対して該各コンクリート板の下側配置端面を係合させると共に、
前記高さ調整具の先端を、前記浮き上がり防止用アンカーの先端を前記法面より離間した状態にしつつ、該法面に当接させる、
ことを特徴とする土木構築物の施工方法。
【発明の詳細な説明】
【技術分野】
【０００１】
本発明は、土木構築物の施工方法に関する。
【背景技術】
【０００２】
土木構築物の施工方法には、特許文献１に示すように、法面に対して一定間隔をあけ  つつ該法面に沿って下側から上側に向けて順次、コンクリート板を配設すると共に、該  各コンクリート板と法面との間に上方側からコンクリートを投入するものが提案されて  いる。具体的には、コンクリート板を法面上に複数のジャッキを介して受け止め、その  各ジャッキの調整によりコンクリート板の高さ、勾配調整を行い、そのコンクリート板  を、そのジャッキと、高さ調整可能なねじ式スペーサとを利用することにより、そのコ  ンクリート板の高さ、勾配状態を維持しつつスペーサに受け止めさせ、その後、そのコ  ンクリート板全体と法面との間の空間にコンクリートを上側開口から投入して、そのコ  ンクリート板の上側配置端面の高さまで投入コンクリートが充填されることになってい  る。これによれば、コンクリート投入前において、ジャッキにより、コンクリート板の  高さ、勾配調整作業を容易にすることができる。
【特許文献１】特許２６１８８００号
【発明の開示】
【発明が解決しようとする課題】
【０００３】
しかし、上記土木構築物の施工方法においては、各コンクリート板を配設する度のコ  ンクリート投入に伴って、その流動状のコンクリートが１枚のコンクリート板全体に作  用することになり、そのコンクリート板は浮き上がり易い状況にある。特に土木構築物  の構築においては、強度を確保する必要上、コンクリートの投入後、その投入コンクリ  ートをバイブレータ等で締固めてコンクリート打設を行うことが必要であり、これに伴  い、投入コンクリートに基づくコンクリート板を浮き上がらせる力は大きくなる傾向に  ある。このため、コンクリート板が浮き上がった場合には、そのコンクリート板の高さ  、姿勢が所定の状態（正規の状態）から変更されることになり、施工において、コンク  リート板の浮き上がり防止を考慮する必要がある。
【０００４】
また、上記施工方法においては、各コンクリート板を配設する度に、その各コンクリ  ート板全体と法面との間の空間にコンクリートがそれぞれ投入されることになり、その  投入コンクリートは、上下方向に隣り合うコンクリート板同士の継目（目地）付近位置  でそれぞれ接合されている。しかし、各コンクリート板の配設に伴うコンクリートの投  入タイミングは異なっており、上記各接合部分（コンクリート打継目部分）の接合強度  （一体化強度）は、硬化の進行速度の違いに基づき弱くならざるを得ない。このため、  仮に各コンクリート板をその各背面側の投入コンクリート部分にアンカーを介して係合  させるとしても、各接合部分（コンクリート打継目部分）で破断し易く、各コンクリー  ト板を投入コンクリートを介して互いに強固に一体化する関係を得ることは期待できな  い。
【０００５】
本発明は、このような事情に鑑みてなされたもので、その技術的課題は、コンクリー  ト板の浮き上がりを防止できると共に、各コンクリート板の互いの一体化強度を高める  ことができる土木構築物の施工方法を提供することにある。
【課題を解決するための手段】
【０００６】
上記技術的課題を達成するために本発明（請求項１に係る発明）にあっては、
法面に対して一定間隔をあけつつ該法面に沿って下側から上側に向けて順次、コンク  リート板を配設すると共に、該各コンクリート板と該法面との間に上側からコンクリー  トを投入する土木構築物の施工方法において、
前記各コンクリート板として、該各コンクリート板の内面に、該コンクリート板の上  側配置端面と下側配置端面との間において浮き上がり防止用アンカーが備えると共に、 該浮き上がり防止用アンカーよりも上側配置端面側において、該上側配置端面側に向け て順に、第１，第２確認孔を有するものを用意し、
前記各コンクリート板を配設する度に、前記コンクリートを、該各コンクリート板の  上側配置端面よりも下側であって前記浮き上がり防止用アンカーが埋め込まれるまで投  入し、
その際、前記コンクリートを、前記第１確認孔に進入してくるようにしつつ前記第２ 確認孔に進入してこないように投入する、
構成としてある。
【０００７】
上述の構成により、各コンクリート板として、その各コンクリート板の内面に、その  コンクリート板の上側配置端面と下側配置端面との間において浮き上がり防止用アンカ  ーが備えられたものを用意し、各コンクリート板を配設する度に、コンクリートを、そ  の各コンクリート板の上側配置端面よりも下側であって浮き上がり防止用アンカーが埋  め込まれるまで投入することから、当該コンクリート板が一段目（最下段）である場合  には、投入コンクリート量を、その一段目のコンクリート板の上側配置端面までコンク  リートを投入する場合よりも少なくしてその一段目のコンクリート板に作用する投入コ  ンクリートの作用力を低減することができ、当該コンクリート板が二段目以上である場  合には、そのコンクリート板の配設に伴い投入する投入コンクリートを上下に隣り合う  コンクリート板に跨るように投入して、投入コンクリートの作用力を上下各コンクリー  ト板に分散でき、上下各コンクリート板に作用する投入コンクリートの作用力を低減で  きる。特に当該コンクリート板が２段目以上である場合には、当該コンクリート板の下  側に配設される下側コンクリート板の内面側（コンクリート未投入空間）に入り込む投  入コンクリート部分のコンクリート圧が、その投入コンクリートの高さ（深さ）に基づ  き大きくなるが、このときには、下側コンクリート板における浮き上がり防止用アンカ  ーが、その下側コンクリート板の配設に伴って投入されたコンクリート（硬化）と係合  して、その下側コンクリート板の姿勢の保持性を高めており、その下側コンクリート板  が、上側コンクリートの配設に伴う投入コンクリートのコンクリート圧を的確に受け止  める。
【０００８】
また、各コンクリート板の配設の度に、その浮き上がり防止用アンカーを埋め込むま  で投入されたコンクリートは、その硬化後、その浮き上がり防止用アンカーと一体化す  ると共に、その各コンクリート板の下側の下側コンクリート板の内面側に入り込んでそ  の下側のコンクリート板と係合する。このため、下側コンクリート板が、その上側に配  置される上側コンクリート板の配設に伴って投入される投入コンクリート（下側コンク  リート板の内面側に入り込んで硬化したもの）を順次、法面側に押し付けることになり  、各コンクリート板は、互いに一体化する。
さらに、前記各コンクリート板として、前記浮き上がり防止用アンカーよりも上側配 置端面側において、該上側配置端面側に向けて順に、第１，第２確認孔を有するものを 用意し、前記コンクリートを、該第１確認孔に進入してくるようにしつつ該第２確認孔 に進入してこないように投入する構成としていることから、第１，第２確認孔の状態を 見ているだけで、浮き上がり防止用アンカーが投入コンクリート内に埋め込まれたこと を確認できると共に、投入コンクリートが、必要以上に投入されること防止して、その 投入量を適量にできる。
【０００９】
本発明においては、請求項１の好ましい態様として、前記各コンクリート板が、該各  コンクリート板の内面の上側配置端面側において、伸縮可能な高さ調整具を有している  と共に、該高さ調整具よりも下側配置端面側において前記浮き上がり防止用アンカーを  有し、
前記コンクリートを投入するに際して、該コンクリートの投入後の上面を、該各コン  クリート板における前記高さ調整具の位置よりも低い高さとする構成とされている（請  求項２）。この好ましい態様においては、高さ調整具をもってコンクリート板の上側配  置端面側の高さ調整を行って、各コンクリート板の姿勢（勾配）を調整できることは勿  論、各コンクリート板の配設に伴って投入されるコンクリートが、そのコンクリート板  の下側に配設される下側コンクリートの高さ調整具を埋め込み、その投入コンクリート  内に、そのコンクリート板の浮き上がり防止用アンカーと下側コンクリート板の高さ調  整具とが埋め込まれ、そのコンクリート板とその下側の下側コンクリート板とは、浮き  上がり防止用アンカー、投入コンクリート（硬化したもの）及び高さ調整具を介して一  体化される。このため、各コンクリート板が互いに一体化され、各コンクリート板の互  いの一体化強度を、一層高めることができる。
【００１０】
本発明においては、請求項１の好ましい態様として、前記各コンクリート板を配設す  るに際して、該各コンクリート板の下側に配置される下側コンクリート板の上側配置端  面に対して該各コンクリート板の下側配置端面を係合させると共に、
前記高さ調整具の先端を、前記浮き上がり防止用アンカーの先端を前記法面より離間  した状態にしつつ、該法面に当接させる構成としてある（請求項３）。この好ましい態  様においては、各コンクリート板の下側配置端面側をその下側の下側コンクリート板の  上側配置端面側に係合（支持）させつつ、その各コンクリート板の上側配置端面側の高  さ調整を高さ調整具をもって行うことができ（各コンクリート板の姿勢（勾配）調整）  、その調整の際に、浮き上がり防止用アンカーの先端部が法面に当接することはない。  このため、各コンクリート板の高さ、姿勢調整を円滑に行うことができる。
【００１１】
【００１２】
【００１３】
【００１４】
【００１５】
【００１６】
【００１７】
【００１８】
【発明の効果】
【００１９】
本発明（請求項１に係る発明）によれば、当該方法を用いることにより、コンクリー  ト板の浮き上がりを防止できると共に、各コンクリート板の互いの一体化強度を高める  ことができる。
【００２０】
【発明を実施するための最良の形態】
【００２１】
以下、本発明の実施の形態について図面を参照して詳細に説明する。
実施形態に係る土木構築物としての護岸１においては、図１に示すように、法面２が河  川側（図１中、左側）から陸上側（図１中、右側）に向うに従って上方に向って延びる  よう傾斜されており、その法面２の下端位置には基礎ブロック４が設けられている。法  面２は、本実施形態においては、モルタル層５により形成されており、そのモルタル層  ５は、所定の勾配で整形された岩盤上にモルタル吹き付けを行うことにより形成されて  いる。基礎ブロック４は、河川水の流れ方向（図１中、紙面垂直方向）に延びるように  して配置されており、その基礎ブロック４には、陸上側における上部において、上方に  向うに従って河川側に傾斜する支持面４ａが形成されている。
【００２２】
前記法面２上には、図１，図２に示すように、護岸機能を発揮することを主目的とし  て、複数の土木構築物用ユニット７が敷き詰められている。各土木構築物用ユニット７  は、図１〜図６に示すように、主要要素としてのコンクリート板８と、高さ調整具９と  、浮き上がり防止用アンカー（以下、アンカーと称す）１０とを備えており、その高さ  調整具９及びアンカー１０はコンクリート板８の内面に取付けられている。尚、図２に  おいて、符号４０は、カーブ施工のために現場打ちされるばち部分を示す。
【００２３】
前記土木構築物用ユニット７のコンクリート板８は、図１〜図５に示すように、その  板面をもって法面２を覆うものであり、そのコンクリート板８は、一定厚みの平面視略  正方形状に形成されている。このコンクリート板８の一の側面が下側配置端面８ａとさ  れ、その下側配置端面８ａに対向する側面が上側配置端面８ｂとされ、残りの２つの側  面が横側側面８ｃとされている。本実施形態においては、このコンクリート板８として  、厚み１３０ｍｍ前後、一辺１０００ｍｍ前後のものが用いられている。
【００２４】
このコンクリート板８の下側配置端面８ａには、一定間隔だけ離間した一対の凹部（  被係合部又は係合部の一方）１３が形成され、その上側配置端面８ｂには、一対の凹部  １３に対応する一対の突部（被係合部又は係合部の他方）１４が突設されている。一対  の凹部１３は、隣り合う別（下側）の土木構築物用ユニット７における一対の突部１４  に回動可能に嵌め込まれており、その嵌合（係合）状態において、その嵌合部を中心と  して、その土木構築物用ユニット７は、隣り合う別の土木構築物用ユニット７に対して  相対的に上下方向に多少、揺動することが許容されることになっている。勿論このとき  、本実施形態においては、一対の突部１４と一対の凹部１３との嵌合状態は、極力がた  つかないようにしつつ回動可能とされており、当該土木構築物用ユニット７は、コンク  リート板８の厚み方向（特に上方側）に変位動しないようにされている。
尚、本実施形態においては、凹部１３として、一対の凹部１３を用いているが、それに  換えて、一対の凹部が連続的に連なるように構成した一つの凹部（長孔）を用いるよう  にしてもよい。
【００２５】
このコンクリート板８の外面上には、図３に示すように、凹所１５が形成され、その  凹所１５内には、専用吊上げ金具（図示略）を係止させて吊上げ搬送すべく、吊上げ用  ピン１６が立設されている。この場合、コンクリート板８を吊上げ搬送するに際して、  所定傾斜状態（下側配置端面８ｂを上側配置端面８ａよりも低くした姿勢）にすべく、  吊上げ用ピン１６の位置は、コンクリート板８の重心位置から上側配置端面８ｂ側にオ  フセットされている。一方、コンクリート板８の内面には、図４〜図６に示すように、  上側配置端面側８ｂにおいて高さ調整具９用の２つのインサートナット１７が埋め込ま  れ、下側配置端面８ａ側においてアンカー１０用の１つのインサートナット１８が埋め  込まれている。２つのインサートナット１７は、上側配置端面８ｂ側の角部付近（横方  向両側）に配置され、インサートナット１８は、下側配置端面８ａよりもやや上側配置  端面８ｂ側の位置において、横方向（図５中、左右方向）略中央位置に位置されている  。
【００２６】
このコンクリート板８の横側側面８ｃの一方には、図３〜図５に示すように、第１，  第２の縦溝１９，２０が形成されている。この第１，第２の縦溝１９，２０は、上側配  置端面８ｂ側向けて順に、配置されており、そのいずれもが、前記インサートナット１  ７の位置と前記インサートナット１８の位置との間に位置されている。この第１，第２  の縦溝１９，２０は、平面視略半円弧状に形成され、その各縦溝１９（２０）は、コン  クリート板８の内外面間を貫通している。
また、本実施形態においては、図３，図５に示すように、コンクリート板８の下側配  置端面８ａに縦溝２１が形成されていると共に、そのコンクリート板８の四隅角部側面  に平坦面８ｄが形成されている。縦溝２１は、一対の凹部１３間に位置されており（図  ５参照）、この縦溝２１も、コンクリート板８の内外面間を貫通している。平坦面８ｄ  は、コンクリート板８の四隅角部を切り落とした形状とされている。
【００２７】
前記高さ調整具９は、図１に示すように、コンクリート板８内面における上側配置端  面８ｂ側と法面２との間に介在されて、コンクリート板８の高さ（間隔）調整するもの  であり、この高さ調整具９によりコンクリート板８内面と法面２との間に空間４３が形  成されることになる。本実施形態においては、前記２つのインサートナット１７に取付  けるべく、２つの高さ調整具９が用意されており、その各高さ調整具９は、図６に示す  ように、基本的には、ねじ棒２２と、筒状のナット２３とを備えている。各高さ調整具  ９のねじ棒２２は、その一端部がインサートナット１７に螺合されて取付けられており  、そのねじ棒２２の他端部にはナット２３が螺合されて、そのナット２３の螺合状態を  調整することにより、コンクリート板８内面からの高さ調整具９の突出量が調整できる  ことになっている。このため、ナット２３の螺合状態を調整できる範囲でコンクリート  板８内面からの高さ調整具９の突出量を調整できるが、その突出量が未だ不足する場合  には、図７に示すように、ナット２３の先端側（図７中、下側）にボルト２４が螺合さ  れる。これにより、コンクリート板８内面からの高さ調整具９の突出量には、ナット２  ３の調整量の他にボルト２４の調整量も加わることになり、該突出量を、ボルト２４が  存在しない場合に比べて長くすることができる。尚、符号２５は、高さ調整具９のねじ  棒２２をインサートナット１７に強固に取付けるための締付け用ナットである。
【００２８】
前記アンカー１０は、後述のコンクリート層２７との係合に基づき、投入コンクリー  トによりコンクリート板８が浮き上がることを規制するものである。このアンカー１０  は、本実施形態においては、ボルトにより構成されており、そのアンカー１０は、前記  インサートナット１８に螺合することによりコンクリート板８内面に取付けられている  。この場合、アンカー１０のコンクリート板８内面からの突出量は、前記高さ調整具９  の突出量が最短縮状態にある場合よりも短くなるように設定されている。尚、符号２６  は、アンカー１０をインサートナット１８に強固に取付けるための締付け用ナットであ  る。
【００２９】
前記法面２上に敷き詰められた土木構築物用ユニット７のコンクリート板８とモルタ  ル層５との間の空間４３には、図１に示すように、コンクリート層２７が介在されてい  る。このコンクリート層２７には、各土木構築物用ユニットの高さ調整具９及びアンカ  ー１０が埋設さており、その高さ調整具９及びアンカー１０は、コンクリート層２７に  係合している。
【００３０】
前記法面２上に敷き詰められた各土木構築物用ユニット７のコンクリート板８の四隅  には、図２に示すように、隣り合う他の土木構築物ユニット７のコンクリート板８と協  働して確認孔３１が形成されている。この確認孔３１は、各土木構築物用ユニット７に  おける角部側面の平坦面８ｄが区画している。また、各土木構築物用ユニット７の第１  ，第２の縦溝１９，２０は、他の土木構築物用ユニット７におけるコンクリート板８の  横側側面８ｃと協働して、第１，第２の確認孔１９Ａ，２０Ａを形成し、縦溝２１は、  他の土木構築物用ユニット７におけるコンクリート板８の上側配置端面８ｂと協働して  、確認孔２１Ａを形成している。尚、図１において、符号４１は天端コンクリート，４  ２は地盤層を示す。
【００３１】
このような護岸（土木構築物）１は、次のようにしてに施工される。
先ず、所定の勾配（例えば１：１．５）で法面整形を行うと共に基礎ブロック４を設置  する。この法面整形を行うに際しては、岩盤を所定の勾配に整形し、その所定の勾配の  岩盤上にモルタル吹き付け工を行う。これにより、岩盤上にモルタル層５が形成される  ことになり、このモルタル層５により、所定の勾配の法面２が確保されると共に、スレ  ーキングが抑制される。基礎ブロック４は、モルタル層５の下側において、掘削空間を  確保し、その掘削空間内にコンクリートを充填することにより、形成され、その基礎ブ  ロック４は、河川の流れ方向（図１の紙面に対して垂直方向）に延びている。この基礎  ブロック４には、モルタル層５の上面に対して略垂直に起立する支持面４ａが形成され  ており、その支持面４ａには、最下段である一段目の土木構築物用ユニット７−１（コ  ンクリート板８−１）を位置決めるための位置決めピン２８が設置されている。
【００３２】
次に、図９に示すように、一段目の土木構築物用ユニット７−１（７）を所定の一段  目設置位置に吊上げ搬送する。この土木構築物用ユニット７−１の吊上げ搬送に際して  は、専用吊上げ金具、それをワイヤＷを介して吊り上げるクレーンが用いられ、それら  を利用して、土木構築物用ユニット７−１は、所定の傾斜状態をもって所定の一段目設  置位置に搬送される。一段目設置位置に土木構築物用ユニット７−１が搬送されると、  その土木構築物用ユニット７−１の吊上げ状態を維持しつつ、そのコンクリート板８−  １の下側配置端面８ａが基礎ブロック４の支持面４ａに当接されると共に、そのコンク  リート板８−１の上側配置端面８ｂ側が高さ調整具９を介してモルタル層５上に支持さ  れる。このとき、コンクリート板８−１の下側配置端面８ａの一対の凹部１３内に基礎  ブロック４の位置決めピン２８が入り込むようにされ、コンクリート板８−１の下側配  置端面８ａ側の位置決めが行われる。しかし、この位置決め状態でも、この土木構築物  用ユニット７−１は、上下方向に多少、揺動することができることになる。
【００３３】
次に、図１０に示すように、一段目における土木構築物用ユニット７−１の勾配を調  整する。この土木構築物用ユニット７−１の勾配の調整においては、そのコンクリート  板８の上側配置端面８ａ側とモルタル層５との間にジャッキ（高さ調整装置）２９がセ  ットされ、そのジャッキ２９を用いて、コンクリート板８−１の上側配置端面８ａ側と  モルタル層５との距離を調整することにより、コンクリート板８−１（土木構築物用ユ  ニット７−１）をモルタル層５の所定の勾配にされる。そしてこの後、高さ調整具９（  ナット２３）を調整して、土木構築物用ユニット７−１をその所定の勾配に維持するよ  うに支持した上で、コンクリート板８−１に対するジャッキ２９による支持が解除され  、そのジャッキ２９はコンクリート板８とモルタル層５との間から取り除かれる。
【００３４】
この実施形態においては、より安全で確実な方法として、ジャッキ２９による調整方  法を用いているが、高さ調整具９にモンキー等の締結具を用いることにより、直接、高  さ調整具９の伸長を調整してもよい。その場合には、高さ調整具９が外れても作業員の  安全を確保すべく、コンクリート板８と法面２との間にスペーサ等の受け具を介在させ  て作業を行うことが好ましい。
【００３５】
次に、図１１に示すように、一段目の土木構築物用ユニット７におけるコンクリート  板８−１とモルタル層５との間の空間４３にコンクリート３０−１を投入する。このコ  ンクリート３０−１の投入は、その上面３０ａが、モルタル層５に沿って、コンクリー  ト板８の下側配置端面８ａから１／２〜２／３の範囲になるように行われ、その投入さ  れた投入コンクリート３０−１内には、アンカー１０だけが埋め込まれ、高さ調整具９  は、その投入コンクリート３０−１内に埋め込まれない。このとき、このコンクリート  ３０−１の投入に伴って、バイブレータ等により入念に締固めが行われるが、このバイ  ブレータ等の作用によりコンクリート３０−１の粘度が低下され、それに基づき、その  コンクリート３０−１は、第１確認孔１９Ａの位置に達したとき、第１確認孔１９Ａ内  に進入する。作業者は、そのコンクリート３０−１の第１確認孔１９Ａへの進入を確認  して、コンクリート３０−１の投入作業をやめると共に、バイブレータ等の作動を停止  する。これにより、コンクリート３０−１の粘度が上昇し、コンクリート３０−１の第  １確認孔１９Ａ内への進入が止まり、コンクリート３０−１が第１確認孔１９Ａから溢  れ出すことはない。またこのとき、作業者は、コンクリート３０−１が必要以上に投入  されることを防止するために、第２確認孔２０Ａ内にコンクリート３０−１が進入して  いないことも確認する。
【００３６】
この結果、コンクリート３０−１が、そのコンクリート板８−１の上側配置端面８ｂ  よりも下側であってアンカー１０が埋め込まれるまで投入され、投入コンクリート３０  −１の量を、そのコンクリート板８−１の上側配置端面８ｂまでコンクリートを投入す  る場合よりも少なくできることになり、コンクリート板８−１に作用する投入コンクリ  ート３０−１の作用力は低減することになる。
【００３７】
次に、図１２に示すように、二段目の土木構築物用ユニット７−２（７）を二段目設  置位置に搬送する。この二段目設置位置では、二段目の土木構築物用ユニット７−２に  おける下側配置端面８ａの一対の凹部１３が一段目の土木構築物用ユニット７−１の突  部１４に嵌合され、その二段目の土木構築物用ユニット７−２におけるコンクリート板  ８−２（８）の上側配置端面８ｂ側が高さ調整具９を介してモルタル層５上に支持され  る。そして、このときも、一段目の土木構築物用ユニット７−１の勾配調整の場合同様  、図１３に示すように、ジャッキ２９と高さ調整具９とを用いて、二段目の土木構築物  用ユニット７−２におけるコンクリート板８−２の勾配調整が行われ、そのコンクリー  ト板８−２の上面が、一段目のコンクリート板８−１に連続して連なるようにされる。  
尚、二段目の土木構築物用ユニット７−２における下側配置端面８ａの一対の凹部１  ３を一段目の土木構築物用ユニット７−１の突部１４に嵌合させるに際しては、高さ調  整具９を短めに短縮しておくことが好ましい。当該嵌合作業に際して、高さ調整具９を  法面２に干渉（当接）しにくくして、当該嵌合作業を円滑に行うためである。
【００３８】
次に、図１４に示すように、二段目の土木構築物用ユニット７−２におけるコンクリ  ート板８−２と法面２との間にコンクリート３０−２を投入する。この投入コンクリー  ト３０−２は、一段目のコンクリート板８−１とモルタル層５との間の未投入空間４３  に投入されると共に、二段目のコンクリート板８−２の下端から１／２〜２／３の位置  にまで投入され、その投入コンクリート３０−２内には、一段目における土木構築物用  ユニット７−１の高さ調整具９及び二段目の土木構築物用ユニット７−２のアンカー１  ０が埋め込まれ、二段目の土木構築物用ユニット７−２の高さ調整具９は投入コンクリ  ート３０ｂ内に埋め込まれない。勿論このときも、作業者は、第１，第２確認孔１９Ａ  ，２０Ａにより、コンクリート３０−２の適正な投入を確認する。
【００３９】
これにより、投入コンクリート３０−２の作用力を、第１，第２コンクリート板８−  １，８−２に分散でき、各第１，第２コンクリート板８−１，８−２に作用する投入コ  ンクリート３０−２の作用力を低減できることになる。またこの場合、コンクリート板  ８−１の内面側（コンクリート未投入空間４３）に入り込む投入コンクリート３０−２  部分のコンクリート圧が、その投入コンクリート３０−２の高さ（深さ）に基づき大き  くなるが、このときには、コンクリート板８−１におけるアンカー１０が、そのコンク  リート板８−１の配設に伴って投入されたコンクリート（硬化）３０−１と係合して、  そのコンクリート板８−１の姿勢の保持性を高めており、その強固な状態に保持された  コンクリート板８−１が、投入コンクリート３０−２のコンクリート圧を的確に受け止  めることになる。しかも、この強固な状態に保持されたコンクリート板８−１における  一対の突部１４にコンクリート板８−２の一対の凹部１３が嵌合されて、コンクリート  板８−２がその厚み方向（特に上方側）に変位できないようになっており、コンクリー  ト板８−２は、このことによっても、投入コンクリート３０−２の作用力に基づき変位  動する（浮き上がる）ことはない。
【００４０】
またこの場合、投入コンクリート３０−２は、一段目のコンクリート板８−１と二段  目のコンクリート板８−２とに跨ることになる。このため、その投入コンクリート３０  −２の硬化後、その投入コンクリート３０−２と一段目のコンクリート板８−１とは高  さ調整具９を介して連結され、投入コンクリート３０−２と二段目のコンクリート板８  −２とはアンカー１０を介して連結されることになり、一段目のコンクリート板８−１  と二段目のコンクリート板８−２とは投入コンクリート３０−２を介して連結されるこ  とになる。またこのとき、一段目のコンクリート板８−１が、その内面側に入り込んで  きたコンクリート３０−２に係合することになり、一段目のコンクリート板８−１のこ  の作用により、二段目のコンクリート板８−２は法面２に押し付けられることになる。  この結果、これらの作用に基づき、一段目のコンクリート板８−１と二段目のコンクリ  ート板８−２との一体化は高まることになる。
【００４１】
この後、三段目以降の土木構築物用ユニット７の据え付けについても、同様の作業が  繰り返され、最後に、天端コンクリート処理として、天端コンクリート４１が形成され  、施工作業が完了する。
【００４２】
以上実施形態について説明したが本発明にあっては、次のような態様を包含する。
（１）河川３における護岸を対象とする場合に限らず、湖水、海における護岸等にも本  発明を適用すること。
（２）高さ調整具９を１又は３以上設けること。
（３）位置決めピン２８に換えて、基礎ブロック４の支持面４ａに、コンクリート板８  の凹部１３に嵌合する突部を形成してもよいこと。
（４）実施形態では、施工の確実をきすために、コンクリート板８として、浮き上がり  防止用アンカー１０を設けたものを用いたが、コンクリート板８として、アンカー１０  を省いたものを用いてもよいこと。その場合には、法面に対して一定間隔をあけつつ該  法面に沿って下側から上側に向けて順次、コンクリート板を配設すると共に、該各コン  クリート板と該法面との間に上側からコンクリートを投入する土木構築物の施工方法に  おいて、前記各コンクリート板を配設する度に、前記コンクリートを、該コンクリート  の高さ面が該各コンクリート板の上側配置端面と下側配置端面との間に位置するように  投入する、ことになる。これにより、投入コンクリートの作用力を、上下に隣り合うコ  ンクリート板が受け止めることになり、その投入コンクリートの作用力を分散できるこ  とになる。
（５）浮き上がり防止用アンカーを複数用いること。
（６）コンクリート板８の表面に、自然石を植石したり、水質浄化材、植生基盤等を取  付けること。
（７）コンクリート板８にポーラスコンクリートを使用したり、コンクリート板８の表  面を擬石形状にしたりすること。
（８）実施形態では、法面２をモルタル層５により形成しているが、モルタルに限らず  、均しコンクリートを用いて法面２を形成してもよく、また、岩等のしっかりとした支  持地盤であれば、それ自体で法面２を形成し、モルタル層５を省いてもよいこと。
（１０）法面２の状態が、必ずしも平滑である必要はなく、多少の凹凸が許容されるこ  と。
【００４３】
尚、本発明の目的は、明記されたものに限らず、実質的に好ましい或いは利点として  記載されたものに対応したものを提供することをも含むものである。
【図面の簡単な説明】
【００４４】
【図１】実施形態に係る護岸を説明する縦断面図。
【図２】実施形態に係る護岸を平面的に説明する説明図。
【図３】実施形態に係る土木構築物用ユニットを示す平面図。
【図４】実施形態に係る土木構築物用ユニットを示す右側面図。
【図５】実施形態に係る土木構築物用ユニットの内面側を示す図。
【図６】実施形態に係る高さ調整具を示す説明図。
【図７】図６の高さ調整具の変形使用態様を示す説明図。
【図８】実施形態に係るアンカーを示す説明図。
【図９】緩勾配の護岸を施工工程を説明する説明図。
【図１０】図９に続く工程を説明する説明図。
【図１１】図１０に続く工程を説明する説明図。
【図１２】図１１に続く工程を説明する説明図。
【図１３】図１２に続く工程を説明する説明図。
【図１４】図１３に続く工程を説明する説明図。
【符号の説明】
【００４５】
１ 護岸
２ 法面
８，８−１，８−２ コンクリート板
８ａ コンクリート板の下側配置端面
８ｂ コンクリート板の上側配置端面
８ｄ コンクリート板の平坦面
９ 高さ調整具
１０ 浮き上がり防止用アンカー
１３ 一対の凹部
１４ 一対の突部
１９Ａ 第１確認孔
２０Ａ 第２確認孔
３０，３０−１，３０−２ コンクリート
３０ａ コンクリートの上面
４３ 空間
【図１】
0004789674.tif 000002
【図２】
0004789674.tif 000003
【図３】
0004789674.tif 000004
【図４】
0004789674.tif 000005
【図５】
0004789674.tif 000006
【図６】
0004789674.tif 000007
【図７】
0004789674.tif 000008
【図８】
0004789674.tif 000009
【図９】
0004789674.tif 000010
【図１０】
0004789674.tif 000011
【図１１】
0004789674.tif 000012
【図１２】
0004789674.tif 000013
【図１３】
0004789674.tif 000014
【図１４】
0004789674.tif 000015